【手続補正書】
【提出日】平成17年1月31日(2005.1.31)
【手続補正１】
【補正対象書類名】明細書
【補正対象項目名】全文
【補正方法】変更
【補正の内容】
【書類名】        明細書【発明の名称】    避難脱出装置【特許請求の範囲】【請求項１】垂直に建てた長尺のパイプ材の内周の適性位置に１列叉は数列の小径ベアリング列を、大径の雌ネジピッチを形成して垂直に取りつけ、１方内周中心位置に、外周に雄ネジピッチをもち、そのピッチ内に小径ベアリングがネジかんごうするように適性大径に成形化した短円筒をねじこむ形にし、雄ネジ雌ネジのネジかんごう状態で短円筒が回転するために、矩円筒回転軸を軸受けするフレームを設けて短円筒軸を軸受けし、そのフレームの上下軸受け部の外側に短管を取りつけ、更にその外周に適正数の切片を小径ベアリング列を外した位置に突出して取りつけて、フレームが外殻材の内周に沿って滑降するように切片外周を外殻内周に若干の遊隙をもつ形状にして、短円筒の回転芯捩れを防ぎ、矩円筒雄ネジのリード角と、これに接触回転する小径ベアリング列によって短円筒が回転して安定滑降するようにした構造を特徴とし、そのフレームにステーを取りつけそのステーを外殻の長尺材の全長にわたって垂直に設けたスリット溝を通して外部に突出させて、その先端に乗降籠類を取りつけるようにした避難脱出装置。【請求項２】請求項１においてフレームの滑降をより円滑化するため切片と外殻材内周との間に小径ベアリングを介在させた避離脱出装置。【請求項３】請求項１にガバナー機構及びブレーキ機構を、短管と短円筒回転軸の延長部との間に介在させて、過回転防止を自動および手動で行う機能を装備するようにした避難脱出装置。【発明の詳細な説明】【０００１】【産業上の利用分野】  現在２階以上の建築物において火災事故その他で出入口が塞がった状態での脱出手段が無いため窓から飛び降りる例がしばしば報道されている。本案はこの解決のため任意複数個数の定置式脱出機構の設置を目的として雨とひ状の細型の機構のものの開発したもので、１ヶ所集中の避難階段さえあれば事足りているとする現在の法的欠点を補うものである。【０００２】【従来の技術】  通常脱出にはロープ・梯子・シュート・ゴンドラ等あるいはヘリコプター等を活用しているが緊急時には設置が間に合わないばかりか通常人では危険が迫らないと不安感で利用できないし、逆に定置するものでは賊の進入を許す危険もあり設置できない。又避難階段は一箇所集中で活用が限られる。本案は至る所に設置し得る、いはば雨とひ程度の細型のもので適正速度で連続降下できるものの開発である。【０００３】【課題を解决するための手段】  通常のボルトとナットのネジかんごうでボルトをモーターで回転してナットを上下させる方法は考えられるが摩擦損失が大きく従って強力な動力を要し実現できない。ボールネジでは長尺のものが出来ないし潤滑油等の保守も不可能でコストも大きく到底実用に供し得ない。そこで本案はナットのネジピッチを大にしナット高さを長尺化し、そのねじ山位置に小径ベアリングを装填し、ボルト側のピッチも大きくしてそのネジピッチ内に小径ベアリングが収まり、ネジかんごう状態で雄ネジが自重でも回動下降出来るようにしてその目的を達成したものである。即ち回転するボルト側として、外周に帯鉄を最低一巻き以上巻きつけた短円筒を設け、一方ナット側として、内周に小径ベアリング列を円周に雌ネジ状に設けた長尺管を設け、その内部を短円筒がネジかんごうしながら降下するようにするが、その場合短円筒雄ネジの回転芯振れを防ぐために、その回転軸を軸受けするためのフレームを設け、そのフレームの上下に回り止め切片を設けて、切片をベアリング列をさけて外殻内周位置にまで突出させ、且つその外形が外殼内面に沿って滑動下降するような設計寸法にすると共に、雌ネジ配列の小径ベアリングの垂直列の外輪側面を再度活用してＸＹ方向からフレームを垂直に保持するように外殻内周の三分割位置に小径ベアリング列を設けて、フレーム軸受け部の軸の芯振れの防止とフレームの円滑な下降を図っている。なおそのベアリング列を節約して１列配列で賄う事も可能で、その場合短円筒のフレーム側切片の外形を丸叉は角の外殻内周面に密着して滑動下降する形にし、あるいはその切片に滑動のためのベアリングを取りつけても良い。なお前者の小径ベアリング列を３方向からスライドする方法では同一ベアリングを左右から活用しないようにし且つ出来る限り密着スライド接触させるよう配慮するのは当然である。更にまたそのフレームに取りつけたステーを、長尺管の全長に設けたスリット隙間より外部に突出させて先端に乗降籠又はフックを装着するようにして、避難装置とするが、出来るだけ長尺管を細型にして当初の目的を達成したものである。なお３列小径ベアリング取り付けの場合は正確にはスリット近辺のベアリング列のベアリング外輪は、スリット溝側の列のものは上面が雄ネジレールに、奥のベアリング列は、下面が雄ネジレールに接触する事となり、即ち荷重側に傾斜するため通常のエレベーター機能とは異なりレールピッチとベアリング外輪外径の有隙はある程度シビアーなものとしなければならない。このようにして、この構成では上端面より避難籠つき短円筒フレームを順次複数個連続挿入すれば、連続脱出が可能となる。またベアリングについては本案は給油不要のシールドベアリングを用いているため保守が不要で、従って災害時以外は常時スリット隙間及び最上部は容易に自動切断可能なフイルムで被覆し雨水を防止する事も出来る。【０００４】【作用】  上部からの短円筒脱出機の近接事故を防ぐため各階毎１基設置するようにすれば安全で、夏に各窓位置等適正数設置できるよう計画すれば理想的で、そのため可能の限り細型の雨とひ同様の太さで定置し、短円筒フレームは順次挿入できるよう予め各階各部屋に保存し置き、上端部は、目線位置にして装填しやすくする配慮が必要となる。又各機にガバナーを設けて過回転を防止すると共に必要時には意志でブレーキレバーを握るようにし、ブレーキ機能は何れも短円筒雄ネジの回転軸をフレーム側から制御するようにすれば容易である。乗降籠は鉄製椅子でも布性でも良く、短円筒フレームに付属させておく。大径ネジのためネジ傾斜角が大きく自然落下できる為動力は不要で災害時には特に便利である。１階部分の空間が確保できぬ場合は２階でとどめ、延長管をレバーを足で蹴る事によって落下させるようにすれば大方の建物に後付けできる。【０００５】【実施例】直径７０ｍｍ近辺の外殻円形管パイプ１を垂直に建て、その内径を３分割する位置ＡＢＣの垂直線上にシールドベアリング列を管内部に装���するについて、仮に台形雌ネジ山のピッチ３０ｍｍを採用するとして、Ａ位置では管上端より６０ｍｍに小径ベアリング（外径２２ｍｍ・内径８ｍｍ）取りつけ穴８ｍｍをあけ、ベアリング内輪をボルトナット締めで取りつける。ＢはＡ位置より中心角度１２０度ずれた位置にあるから３０ｍｍの３分の１即ち１０ｍｍ下方とし端面より７０ｍｍ、次のＣ位置では８０ｍｍ下方で、更に次はＡ列位置に戻り９０ｍｍとなり順次この様にベアリング取りつけを続けると、ピッチ３０ｍｍの大径の台形雌ネジ山に代えて小径ベアリング列が装填されることになる。今その内部に外周を同一ピッチ３０ｍｍの台形雄ネジ状に成形した短円筒２をネジかんごうの状態で回転してねじ込む形で装着すると、短円筒はネジかんごうして上下する形となる。この機構を確実に作動させるため短円筒の垂直回転軸Ｇ・Ｇ’をフレームＦの上下の円形平盤３及び４の下面及び上面位置の軸受けベアリングＫ・Ｋ’で軸受けすることによって、雄ネジ短円筒２を回転自在にするが、フレーム自体は上下の円形平盤３・４にやや小径の短管３’・４’をそれぞれの中心位置の上方外側と下方外側に取りつけ、その外周に上部回り止め切片５・６・７および下部回り止め切片５’・６’・７’を小径ベアリング列を避けた空間に突出設定し、その側面がそれぞれベアリング列外輪側面に密着接触するようにするとともに、更に切片の外径をパイプ内径に若干の遊隙を持たせて設計して、短円筒の回転下降時にその垂直度と芯振れ防止を小径ベアリング列の外輪を再度活用して確保するようにしている。更にフレームには上下円形平盤３・４に接続したステー部３ｓ・４ｓを取りつけて管１の全長に設けたスリト隙間部Ｌより外部に突出させて乗降盤Ｓを懸架出来るようにする。次にこの短管３’及び４’はその中心部に延長している短円筒軸Ｇ・Ｇ’に取りつけたガバナーＤ・ブレーキＤ’の外郭として働き、片方は加速度自動調節他方は手動で矩円筒軸の回転を止めるよう働く構造としている。簡易には回転軸に帯状ばねと遠心錘と又手動ブレーキは回転軸と外郭の隙間に輪状襖Ｔで何れも回転軸を制御する構造にしている。手動ブレーキとして図面は省略しているが小型の自転車ブレーキ機構等を採用しても良い。なお風水の防御にスリット隙間をポリ材質等のカバーで覆い必要時には刃物Ｈで切断しながら降下するようにしている。又２階までの降下にとどめてその時点で地上までの延長管を伸張させる構造にすれば各窓に設置しても階下のスペースの確保が出来便利である。実施例として説明を容易にするため外殻は円形パイプで示しているが、角型鋼管，Ｃ型軽量鋼管、を用いても良く、又小径ベアリング列は最低１列でも賄い得る。即ち雌ネジベアリング列は雄ネジ短円筒を維ネジのネジリード角を利用してベアリングとのかんごうで短円筒を回転下降させているため、その回転をブレーキ制御して下降速度を調整する機能を果たす事が出来るもので、列数に拘わらず何れの場合も要は外殻内面形状に合わせた形状を持つ切片をフレームの上下に、ベアリング列以外の空間に突出して取りつけ、既述のように外殻内面の小径ベアリングに沿って滑降するようにしてもよいがフレーム切片に別のベアリングを取りつけて外殻内面を密着滑降させて短���筒軸受け部の芯振れを防止しても良い。叉ガバナーには短円筒回転によってのダイナモ（小型発電機）による電気的制御あるいは遠心力利用の摩擦制御等種々考えられるが本案では省略する。【０００６】【発明の効果】  本発明は現在放置されている定置脱出機構の皆無に近い現状を打開するもので、避難階段では解決しがたい飛び降りの悲劇を防ぎ得るよう、雨とひ寸法の棒状脱出機で必要複数個設置して建物デザイン上目立たないように設定でき、且つ連続脱出できる唯一の物で又シールドベアリング採用のため清潔で保守点検を要しない。設置も簡単で建築には不可欠の物となるはずである。【図面の簡単な説明】【図１】    この発明の全体図の一部切り欠け斜視図【図２】    この発明の内機の斜視図【図３】    図２の内機の一部切り欠け側面図【符号の説明】      １．            管      ２．            雄ネジ短円筒      ３・４．        上下円形平盤      ３ｓ・４ｓ      ステー部      ３’・４’      短管      ５・６・７      上部回り止め切片      ５’・６’・７’下部回り止め切片      Ｆフレーム    Ｇ・Ｇ’  垂直回転軸    Ｄ  ガバナー    Ｄ’ブレーキ    Ｈ  刃物    Ｋ・Ｋ’  軸受けベアリング    Ｓ  乗降盤    Ａ・Ｂ・Ｃ  ベアリング列位置    Ｌ  スリット隙間部    Ｔ  輪状襖
【手続補正２】
【補正対象書類名】図面
【補正対象項目名】全図
【補正方法】変更
【補正の内容】
【図１】
2003245368.tif 000001
【図２】
2003245368.tif 000002
【図３】
2003245368.tif 000003